(57)【要約】【課題】記録媒体に記録中のコンテンツを視聴している途中で、例えばユーザが中座したような場合にも、後に中座した位置からの再生が行なえるように考慮した記録装置及び記録方法を提供すること。【解決手段】実施の形態によれば、記録装置は、取得手段と記録手段と認識手段と判別手段と制御手段とを備える。取得手段は、コンテンツを取得する。記録手段は、取得手段で取得したコンテンツを記録する。認識手段は、記録手段でのコンテンツの記録中に、予め登録した人を認識する。判別手段は、認識手段で認識した人の中から途中で認識不可になった人を判別する。制御手段は、判別手段で判別した人に対する視聴履歴情報を、認識不可になったことを判別した時点を示す情報に基づいて変更する。【選択図】    図８
2013114732.tif 000002
【特許請求の範囲】
【請求項１】
コンテンツを取得する取得手段と、
前記取得手段で取得したコンテンツを記録する記録手段と、
前記記録手段でのコンテンツの記録中に、予め登録した人を認識する認識手段と、
前記認識手段で認識した人の中から途中で認識不可になった人を判別する判別手段と、
前記判別手段で判別した人に対する視聴履歴情報を、認識不可になったことを判別した時点を示す情報に基づいて設定する制御手段とを具備する記録装置。
【請求項２】
前記制御手段は、前記判別手段で認識不可になった時を示す情報を、前記記録手段で記録したコンテンツを再生する際の開始位置を示す情報として設定する請求項１記載の記録装置。
【請求項３】
前記記録手段で記録したコンテンツの再生が要求された場合、前記制御手段で設定した情報の示す位置から前記コンテンツの再生を開始する再生手段を具備する請求項２記載の記録装置。
【請求項４】
前記制御手段は、前記判別手段で認識不可になったと判別された人が複数である場合、判別された各人にそれぞれ対応させて、認識不可になった時を示す情報を、前記記録手段で記録したコンテンツを再生する際の開始位置を示す情報として設定する請求項１記載の記録装置。
【請求項５】
前記認識手段は、前記コンテンツの映像を視聴している人の顔の特徴量と予め登録した人の顔の特徴量とに基づいて、前記コンテンツの映像を視聴している人の中から予め登録した人を認識する請求項１記載の記録装置。
【請求項６】
前記認識手段は、前記コンテンツの映像を視聴している人を撮影するカメラモジュールを含み、前記カメラモジュールで撮影した人の顔の特徴量と予め登録した人の顔の特徴量とを比較し、両特徴量の一致度が予め設定された所定のしきい値を超えている場合に、前記カメラモジュールで撮影した人が予め登録した人であると認識する請求項１記載の記録装置。
【請求項７】
前記判別手段は、第１の時刻に前記カメラモジュールで撮影した映像内に存在する予め登録した人を示す第１のリストと、前記第１の時刻よりも後の第２の時刻に前記カメラモジュールで撮影した映像内に存在する予め登録した人を示す第２のリストとを比較し、前記第１のリストに存在し前記第２のリストに存在しない人を、途中で認識不可になった人として判別する請求項６記載の記録装置。
【請求項８】
記録媒体からコンテンツを読み取る読取手段と、
前記読取手段でのコンテンツの読み取り中に、予め登録した人を認識する認識手段と、
前記認識手段で認識した人の中から途中で認識不可になった人を判別する判別手段と、
前記判別手段で判別した人に対する視聴履歴情報を、認識不可になったことを判別した時点を示す情報に基づいて変更する制御手段とを具備する再生装置。
【請求項９】
取得手段により、コンテンツを取得し、
記録手段により、前記取得手段で取得したコンテンツを記録し、
認識手段により、前記記録手段でのコンテンツの記録中に、予め登録した人を認識し、
判別手段により、前記認識手段で認識した人の中から途中で認識不可になった人を判別し、
制御手段により、前記判別手段で判別した人に対する視聴履歴情報を認識不可になったことを判別した時点を示す情報に基づいて変更する記録方法。
【発明の詳細な説明】
【技術分野】
【０００１】
この発明の実施の形態は、例えば取得したコンテンツ等を記録する記録装置及び記録方法に関する。
【背景技術】
【０００２】
周知のように、近年では、例えばデジタルテレビジョン放送の受信機能や、インターネット等のネットワーク回線網に対する通信機能を有し、これらの機能を用いて取得したコンテンツを、ハードディスクや光ディスク等の記録媒体に対して記録再生可能とする映像記録再生装置が市場に普及している。
【０００３】
この種の映像記録再生装置にあっては、記録媒体に記録されたコンテンツの再生状態で再生停止が要求された場合、その再生停止位置を示す情報を自動的に記録して、再生の再開が要求された際には、当該再生停止位置から再生を開始することができるようにした、いわゆる、レジューム再生機能が搭載されている。
【０００４】
このレジューム再生機能により、ユーザが、記録媒体に記録されたコンテンツを再生し視聴している途中で中座するような場合にも、再生の停止を要求する操作を行なうことによって、後に、そのコンテンツの視聴を再開した際に、中座した位置からの視聴を行なうことができるようになる。
【０００５】
ところで、このようなレジューム再生機能を搭載した映像記録再生装置は、まだまだ開発途上にある段階であり、細部に亘って改良を施す余地が多々残されているのが現状である。例えば記録媒体に記録中のコンテンツを視聴している途中で、ユーザが中座したような場合等に、有効に対処し得るように考慮することが重要な課題となっている。
【先行技術文献】
【特許文献】
【０００６】
【特許文献１】特許第４１１４６７６号公報
【発明の概要】
【発明が解決しようとする課題】
【０００７】
記録媒体に記録中のコンテンツを視聴している途中で、例えばユーザが中座したような場合にも、後に中座した位置からの再生が行なえるように考慮した記録装置及び記録方法を提供することを目的とする。
【課題を解決するための手段】
【０００８】
実施の形態によれば、記録装置は、取得手段と記録手段と認識手段と判別手段と制御手段とを備える。取得手段は、コンテンツを取得する。記録手段は、取得手段で取得したコンテンツを記録する。認識手段は、記録手段でのコンテンツの記録中に、予め登録した人を認識する。判別手段は、認識手段で認識した人の中から途中で認識不可になった人を判別する。制御手段は、判別手段で判別した人に対する視聴履歴情報を、認識不可になったことを判別した時点を示す情報に基づいて変更する。
【図面の簡単な説明】
【０００９】
【図１】実施の形態におけるデジタルテレビジョン放送受信装置の一例を説明するために示す外観図。
【図２】同実施の形態におけるデジタルテレビジョン放送受信装置の信号処理系の一例を概略的に説明するために示すブロック構成図。
【図３】同実施の形態におけるデジタルテレビジョン放送受信装置を操作するリモートコントローラの一例を説明するために示す外観図。
【図４】同実施の形態におけるデジタルテレビジョン放送受信装置で表示される顔登録画面及び個人ＩＤ設定画面の一例を説明するために示す図。
【図５】同実施の形態におけるデジタルテレビジョン放送受信装置で使用される登録テーブルの一例を説明するために示す図。
【図６】同実施の形態におけるデジタルテレビジョン放送受信装置にログインする際の処理動作の一例を説明するために示すフローチャート。
【図７】同実施の形態におけるデジタルテレビジョン放送受信装置で表示されるログインユーザ選択画面の一例を説明するために示す図。
【図８】同実施の形態におけるデジタルテレビジョン放送受信装置が行なう主要な処理動作の一例を説明するために示すフローチャート。
【図９】同実施の形態におけるデジタルテレビジョン放送受信装置で使用される視聴者リストの一例を説明するために示す図。
【図１０】同実施の形態におけるデジタルテレビジョン放送受信装置で使用されるレジュームポイントテーブルの一例を説明するために示す図。
【図１１】同実施の形態におけるデジタルテレビジョン放送受信装置が行なう視聴者リスト作成処理動作の一例を説明するために示すフローチャート。
【図１２】同実施の形態におけるデジタルテレビジョン放送受信装置が行なうユーザを視聴者リストに登載する処理動作の一例を説明するために示すフローチャート。
【図１３】同実施の形態におけるデジタルテレビジョン放送受信装置が行なう中座者リスト作成処理動作の一例を説明するために示すフローチャート。
【図１４】同実施の形態におけるデジタルテレビジョン放送受信装置が行なう中座者を検出する処理動作の一例を説明するために示す図。
【図１５】同実施の形態におけるデジタルテレビジョン放送受信装置が行なう主要な処理動作の変形例を説明するために示すフローチャート。
【発明を実施するための形態】
【００１０】
以下、実施の形態について図面を参照して詳細に説明する。図１は、この実施の形態で説明するデジタルテレビジョン放送受信装置１１の外観の一例を示している。このデジタルテレビジョン放送受信装置１１は、薄型のキャビネット１２と、このキャビネット１２を起立させて支持する支持台１３とから構成されている。
【００１１】
そして、上記キャビネット１２には、その正面中央部に映像表示部としての映像表示パネル１４が配置されている。また、このキャビネット１２には、その上面中央部にカメラモジュール１５が設置され、映像表示パネル１４の正面側及びその周囲に存在する被写体を撮影することができるようになっている。
【００１２】
さらに、このキャビネット１２には、その正面下方の両端部にそれぞれスピーカ１６，１６が配置されている。また、このキャビネット１２には、その正面下部に、主電源スイッチ１７ａを含む操作部１７と、リモートコントローラ１８から送信される操作情報を受信するための受光部１９とが配置されている。
【００１３】
図２は、上記デジタルテレビジョン放送受信装置１１の信号処理系の一例を概略的に示している。すなわち、アンテナ２０で受信したデジタルテレビジョン放送信号は、入力端子２１を介してチューナ部２２に供給されることにより、所望のチャンネルの放送信号が選局される。
【００１４】
このチューナ部２２で選局された放送信号は、復調復号部２３に供給されてデジタルの映像信号及び音声信号等に復元された後、信号処理部２４に出力される。この信号処理部２４は、復調復号部２３から供給されたデジタルの映像信号及び音声信号に対してそれぞれ所定のデジタル信号処理を施している。
【００１５】
そして、この信号処理部２４は、デジタルの映像信号を合成処理部２５に出力し、デジタルの音声信号を音声処理部２６に出力している。このうち、合成処理部２５は、信号処理部２４から供給されるデジタルの映像信号に、ＯＳＤ（on screen display）信号を重畳して出力している。
【００１６】
この合成処理部２５から出力されたデジタルの映像信号は、映像処理部２７に供給される。この映像処理部２７は、入力されたデジタルの映像信号を、後段の上記映像表示パネル１４で表示可能なフォーマットのアナログ映像信号に変換している。そして、この映像処理部２７から出力されたアナログ映像信号が、上記映像表示パネル１４に供給されて映像表示に供される。
【００１７】
また、上記音声処理部２６は、入力されたデジタルの音声信号を、上記スピーカ１６，１６で再生可能なフォーマットのアナログ音声信号に変換している。そして、この音声処理部２６から出力されたアナログ音声信号が、上記スピーカ１６，１６に供給されることにより音声再生に供される。
【００１８】
ここで、このデジタルテレビジョン放送受信装置１１は、上記した各種の受信動作を含む種々の動作を制御部２８によって統括的に制御されている。この制御部２８は、ＣＰＵ（central processing unit）２８ａを内蔵しており、上記操作部１７からの操作情報、または、上記リモートコントローラ１８から送信され受光部１９で受信された操作情報を受けることによって、その操作内容が反映されるように各部をそれぞれ制御している。
【００１９】
この場合、制御部２８は、メモリ部２８ｂを利用している。このメモリ部２８ｂは、主として、ＣＰＵ２８ａが実行する制御プログラムを格納したＲＯＭ（read only memory）と、該ＣＰＵ２８ａに作業エリアを提供するためのＲＡＭ（random access memory）と、各種の設定情報及び制御情報等が格納される不揮発性メモリとを有している。
【００２０】
また、この制御部２８には、ＨＤＤ（hard disk drive）２９が接続されている。この制御部２８は、ユーザによる操作部１７やリモートコントローラ１８の操作に基づいて、上記復調復号部２３から得られるデジタルの映像信号及び音声信号を、記録再生処理部３０によって暗号化し所定の記録フォーマットに変換した後、ＨＤＤ２９に供給してハードディスク２９ａに記録させるように制御することができる。
【００２１】
さらに、この制御部２８は、ユーザによる操作部１７やリモートコントローラ１８の操作に基づいて、ＨＤＤ２９によりハードディスク２９ａからデジタルの映像信号及び音声信号を読み出させ、上記記録再生処理部３０によって復号化した後、信号処理部２４に供給することによって、以後、上記した映像表示及び音声再生に供させるように制御することができる。
【００２２】
また、上記デジタルテレビジョン放送受信装置１１には、その外部からデジタルの映像信号及び音声信号を直接入力するための入力端子３１が設けられている。この入力端子３１を介して入力されたデジタルの映像信号及び音声信号は、上記制御部２８の制御に基づいて、記録再生処理部３０を介した後、信号処理部２４に供給されて、以後、上記した映像表示及び音声再生に供される。
【００２３】
さらに、この入力端子３１を介して入力されたデジタルの映像信号及び音声信号は、制御部２８の制御に基づいて、記録再生処理部３０を介した後、ＨＤＤ２９によるハードディスク２９ａに対しての記録再生に供される。
【００２４】
また、上記制御部２８には、ネットワークインターフェース３２が接続されている。このネットワークインターフェース３２は、外部のネットワーク回線網３３に接続されている。そして、このネットワーク回線網３３には、各種のコンテンツを提供可能なネットワークサーバ３４が接続されている。
【００２５】
このため、制御部２８は、ユーザによる操作部１７やリモートコントローラ１８の操作に基づき、ネットワークインターフェース３２及びインターネット回線網３３を介してネットワークサーバ３４にアクセスし、そこで提供している各種のコンテンツを選択的に取得することができる。
【００２６】
この場合も、ネットワークサーバ３４から取得したコンテンツは、上記制御部２８の制御に基づいて信号処理部２４に供給され、以後、上記した映像表示及び音声再生に供される。また、ネットワークサーバ３４から取得したコンテンツは、上記制御部２８の制御に基づいて記録再生処理部３０に供給され、以後、ＨＤＤ２９によるハードディスク２９ａに対しての記録再生に供される。
【００２７】
さらに、上記制御部２８には、上記カメラモジュール１５が接続されている。このカメラモジュール１５で撮影して得られたデジタルの映像信号は、上記制御部２８の制御に基づいて信号処理部２４に供給され、以後、上記した映像表示に供される。
【００２８】
図３は、上記リモートコントローラ１８の外観を示している。このリモートコントローラ１８には、主として、電源キー１８ａ、数字キー１８ｂ、チャンネルアップダウンキー１８ｃ、音量調整キー１８ｄ、カーソル上移動キー１８ｅ、カーソル下移動キー１８ｆ、カーソル左移動キー１８ｇ、カーソル右移動キー１８ｈ、決定キー１８ｉ、メニューキー１８ｊ、戻るキー１８ｋ、終了キー１８ｌ、４色（青，赤，緑，黄）のカラーキー１８ｍ等が設けられている。
【００２９】
また、このリモートコントローラ１８には、再生停止キー１８ｎ、再生／一時停止キー１８ｏ、逆方向スキップキー１８ｐ、順方向スキップキー１８ｑ、早戻しキー１８ｒ、早送りキー１８ｓ等が設けられている。
【００３０】
すなわち、上記ＨＤＤ２９に対しては、リモートコントローラ１８の再生停止キー１８ｎや再生／一時停止キー１８ｏを操作することにより、再生、停止、一時停止を行なうことが可能となる。
【００３１】
また、リモートコントローラ１８の逆方向スキップキー１８ｐや順方向スキップキー１８ｑを操作することによって、ＨＤＤ２９でハードディスク２９ａから読み取っている映像や音声等のデータを、その再生方向に対して逆方向や順方向に一定量ずつスキップさせる、いわゆる、逆方向スキップや順方向スキップを行なうことができる。
【００３２】
さらに、リモートコントローラ１８の早戻しキー１８ｒや早送りキー１８ｓ等を操作することにより、ＨＤＤ２９でハードディスク２９ａから読み取っている映像や音声等のデータを、その再生方向に対して逆方向や順方向に連続的に高速で再生させる、いわゆる、早戻し再生や早送り再生を行なうことができる。
【００３３】
ここで、上記デジタルテレビジョン放送受信装置１１は、上記制御部２８の制御に基づいて、ユーザの顔を予め登録することができる。この顔の登録は、登録すべきユーザの顔をカメラモジュール１５で撮影し、撮影された顔の映像から、顔認識技術で用いられている特徴量の抽出方法を用いて個人の顔の特徴量を抽出する。そして、この抽出された特徴量と、ユーザが固有に設定した個人ＩＤ（identification）とを対応付けて保存することにより、顔登録が完了される。
【００３４】
なお、顔の特徴量を抽出する方法としては、固有顔を用いる方法［M.Turk and A.Pentland:“Eigenfaces for Recognition”, J.of cognitive Neuroscience, 3, 1, pp.71-86(1991)］や、顔器官上の特徴点間の位置関係を用いる方法［J.Steffens, E.Elagin and H.Neven:“PersonSpotter - Fast and Robust System for Human detection, Tracking and Recognition”, Proceedings of the International Conference on Automatic Face and Gesture Recognition‘98(1998)］等を採用することができる。
【００３５】
この顔登録についての具体的な操作の一例としては、まず、ユーザがリモートコントローラ１８のメニューキー１８ｊを操作して、階層構造となされた複数のメニュー画面に分け入ることにより、図４（ａ）に一例を示すような、顔登録画面３５を映像表示パネル１４に表示させる。
【００３６】
この顔登録画面３５では、「撮影されている顔を登録しますか。」というユーザに対する質問文３５ａと、カメラモジュール１５で撮影されている顔の映像３５ｂとが表示されるとともに、「登録する」という項目３５ｃと「登録しない」という項目３５ｄとが選択肢として表示される。そして、ユーザが、リモートコントローラ１８のカーソル左または右移動キー１８ｇ，１８ｈを操作して項目３５ｃを選択し、決定キー１８ｉを操作する。
【００３７】
すると、上記制御部２８は、撮影されている顔から特徴量を抽出する処理を行なうとともに、図４（ｂ）に一例を示すような、個人ＩＤ設定画面３６を映像表示パネル１４に表示させる。この個人ＩＤ設定画面３６では、「個人ＩＤを設定して下さい。」というユーザに対する案内文３６ａと、撮影された顔の映像３６ｂと、個人ＩＤの入力領域３６ｃとが表示される。
【００３８】
そして、ユーザが、リモートコントローラ１８を操作して、英数字、ひらがな、カタカナ、漢字、その他の文字や記号等を使用した文字記号列でなる個人ＩＤを入力領域３６ｃに入力し、決定キー１８ｊを操作することにより、個人ＩＤと顔の特徴量とが対応付けられた登録テーブルが作成され、ここに、顔の登録が行なわれる。なお、作成された登録テーブルは、例えば上記ＨＤＤ２９等に記録される。
【００３９】
図５は、登録テーブルの一例を示している。この登録テーブルは、登録番号No．と、個人ＩＤと、顔の特徴量とを対応付けて保存したもので、複数人の登録が可能である。また、各個人ＩＤに対して、顔の特徴量だけでなく、各種の設定情報を対応付けることも可能である。
【００４０】
この設定情報としては、映像表示パネル１４に表示させる壁紙、アイコン、メニュー等のデザイン設定情報、映像表示パネル１４を照明するバックライトパネルの明るさ、色合い、音量等の視聴環境設定情報、記録したコンテンツの再生開始位置、ブラウザ機能におけるお気に入りサイト、個人の予約録画リスト等の視聴履歴設定情報等が含まれる。
【００４１】
図６は、上記登録テーブル上で各個人ＩＤに対して設定された各種の設定情報を利用するために、デジタルテレビジョン放送受信装置１１にログインする際の処理動作をまとめたフローチャートを示している。すなわち、処理が開始（ステップＳ６ａ）され、ステップＳ６ｂで、デジタルテレビジョン放送受信装置１１の主電源がオンされると、制御部２８は、ステップＳ６ｃで、カメラモジュール１５が撮影している映像（カメラモジュール１５から出力される映像信号）を取得する。
【００４２】
そして、制御部２８は、ステップＳ６ｄで、取得した映像から人物解析を行ない、ステップＳ６ｅで、映像内の人物の中に顔登録済みと認識されたユーザが１人だけ存在しているか否かを判別する。この場合、制御部２８は、カメラモジュール１５で撮影された映像の中から人物の顔領域を認識し、認識した顔領域から抽出した顔の特徴量と登録テーブル上の特徴量とを比較して、両特徴量の一致度が所定の閾値を超えた場合に、その顔領域の人物が顔登録済みのユーザであると判別している。
【００４３】
ここで、映像内に顔登録済みのユーザが１人だけ存在すると判断された場合（ＹＥＳ）、
制御部２８は、ステップＳ６ｆで、その顔登録済みの１人のユーザの個人ＩＤでログインしたモードに自動的に設定されて、処理を終了（ステップＳ６ｌ）する。これにより、デジタルテレビジョン放送受信装置１１は、その顔登録済みの１人のユーザの設定情報に基づいた状態に変更される。
【００４４】
また、上記ステップＳ６ｅで、カメラモジュール１５で撮影された映像内に顔登録済みのユーザが複数人存在すると判断された場合（ＮＯ）、制御部２８は、ステップＳ６ｇで、顔登録済みの複数のユーザの中からログインするユーザを選択させるために、図７に一例を示すような、ログインユーザ選択画面３７を映像表示パネル１４に表示させる。
【００４５】
このログインユーザ選択画面３７では、「ログインするユーザを選択して下さい。」というユーザに対する案内文３７ａと、カメラモジュール１５で撮影された映像内に存在する顔登録済みと判断された複数（図示の場合は３人）のユーザの顔の映像３７ｂと、「デフォルト」という項目３７ｃとが表示される。
【００４６】
その後、ステップＳ６ｈで、ユーザがリモートコントローラ１８のカーソル左または右移動キー１８ｇ，１８ｈを操作して、３つの顔の映像３７ｂ及び項目３７ｃのいずれかを選択し、決定キー１８ｉを操作すると、制御部２８は、ステップＳ６ｉで、「デフォルト」の項目３７ｃが選択されたか否かを判別する。
【００４７】
そして、「デフォルト」の項目３７ｃが選択されたと判断された場合（ＹＥＳ）、制御部２８は、ステップＳ６ｊで、予め設定されたデフォルトのユーザモードに自動的に設定されて、処理を終了（ステップＳ６ｌ）する。これにより、デジタルテレビジョン放送受信装置１１は、デフォルトの設定情報に基づいた状態に変更される。
【００４８】
このデフォルトのユーザモードは、個人ＩＤでログインしたモードと基本的な違いはなく、デフォルトのユーザモード中にユーザの操作によって設定された視聴環境情報等は、個人ＩＤでログインした場合と同様に、デフォルトユーザの設定情報として保存され、次回にデフォルトのモードでログインしたときに、自動的に設定として反映される。このデフォルトユーザモードがあるために、まだ個人ＩＤを１つも登録していない状態であっても、デフォルトユーザでログインを行なうことが可能となる。
【００４９】
また、上記ステップＳ６ｉで３つの顔の映像３７ｂのいずれかが選択されたと判断された場合（ＮＯ）、制御部２８は、ステップＳ６ｋで、その選択された顔登録済みの１人のユーザの個人ＩＤでログインしたモードに自動的に設定されて、処理を終了（ステップＳ６ｌ）する。これにより、デジタルテレビジョン放送受信装置１１は、その選択された顔登録済みの１人のユーザの設定情報に基づいた状態に変更される。
【００５０】
次に、図８は、デジタルテレビジョン放送受信装置１１がデジタルテレビジョン放送から取得したコンテンツ、または、ネットワークサーバ３４から取得したコンテンツを、ＨＤＤ２９によりハードディスク２９ａに記録し、かつ、そのコンテンツを視聴している状態で、ユーザが中座した場合の処理動作をまとめたフローチャートを示している。
【００５１】
ただし、この場合におけるコンテンツの視聴とは、取得したコンテンツをハードディスク２９ａに記録しながら再生する、いわゆる、追っかけ再生での視聴を意味するのではなく、記録中に、つまり、取得したコンテンツを記録に供すると同時に、リアルタイムで視聴することを意味している。
【００５２】
すなわち、処理が開始（ステップＳ８ａ）され、ステップＳ８ｂで、ユーザによりコンテンツの記録を要求する操作が行なわれると、制御部２８は、ステップＳ８ｃで、予約による記録であるか否かが判別され、予約による記録であると判断された場合（ＹＥＳ）、ステップＳ８ｄで、予約されている記録開始時刻まで待機する。
【００５３】
このステップＳ８ｄの後、または、上記ステップＳ８ｃで予約による記録でないと判断された場合（ＮＯ）、制御部２８は、ステップＳ８ｅで、指定されたコンテンツをＨＤＤ２９によりハードディスク２９ａに記録開始する。
【００５４】
このような記録状態で、制御部２８は、ステップＳ８ｆで、記録しているコンテンツがリアルタイムで映像表示パネル１４に表示されているか否かを判別し、表示されていないと判断された場合（ＮＯ）、処理を終了（ステップＳ８ｍ）する。
【００５５】
また、上記ステップＳ８ｆで記録中のコンテンツがリアルタイムで映像表示パネル１４に表示されていると判断された場合（ＹＥＳ）、制御部２８は、ステップＳ８ｇで、カメラモジュール１５が撮影している映像（カメラモジュール１５から出力される映像信号）を取得し解析することにより、ステップＳ８ｈで、視聴者リストの作成及び更新を実行する。
【００５６】
ここで、視聴者リストとは、カメラモジュール１５で撮影された映像内に存在する顔登録済みのユーザ、つまり、予め顔登録が済んでいるユーザの中で映像表示パネル１４に表示されている映像を視聴しているユーザをまとめたもので、例えば図９に一例を示すように、リスト番号No．と個人ＩＤとを対応付けたものである。なお、カメラモジュール１５で撮影された映像内から顔登録済みのユーザを判別（認識）する処理は、先に述べた通りである。
【００５７】
その後、制御部２８は、ステップＳ８ｉで、最新の視聴者リストとその前に作成された視聴者リストとを比較することにより、前の視聴者リストに掲載されていて最新の視聴者リストに掲載されていないユーザ、つまり、途中でカメラモジュール１５の撮影範囲の外に移動して（中座して）認識不可になったユーザがいるか否かを判別する。
【００５８】
そして、最新の視聴者リストから外れたユーザがいると判断された場合（ＹＥＳ）、制御部２８は、ステップＳ８ｊで、その最新の視聴者リストから外れたユーザ、つまり、中座したユーザに対し、視聴者リストから外れたと判断した時点を、現在視聴中のコンテンツに対する再生開始位置（レジュームポイント）として設定する。
【００５９】
この場合、制御部２８は、顔登録済みの全てのユーザに対してレジュームポイントを設定するために、例えば図１０に一例を示すような、レジュームポイントテーブルを作成している。このレジュームポイントテーブルは、テーブル番号No．と、ユーザの個人ＩＤと、コンテンツを特定するためのコンテンツＩＤと、そのコンテンツに対する再生開始位置を示す情報とを対応付けたものである。この再生開始位置を示す情報としては、例えばＰＴＳ（presentation time stamp）等が用いられる。
【００６０】
これにより、制御部２８は、中座したユーザが判別された時点で、そのユーザの個人ＩＤと、視聴していたコンテンツのコンテンツＩＤと、再生開始位置を示す情報とを、レジュームポイントテーブルに書き込み、ここに、コンテンツの視聴中にユーザの中座した時点が、そのユーザに対する当該コンテンツの再生開始位置として設定されることになる。
【００６１】
そして、このステップＳ８ｊの後、または、上記ステップＳ８ｉで最新の視聴者リストから外れたユーザがいないと判断された場合（ＮＯ）、制御部２８は、ステップＳ８ｋで、コンテンツの記録が完了したか否かを判別し、完了していないと判断された場合（ＮＯ）、ステップＳ８ｇの処理に戻される。
【００６２】
これにより、視聴者リストが最新の状態に更新され、その前に更新された視聴者リストと比較することによって、中座したユーザを判別することができる。なお、この視聴者リストの更新間隔は、できるだけ短くする方がよいが、制御部２８の処理負担を抑えるために数秒程度に設定しても良いものである。
【００６３】
また、上記ステップＳ８ｋでコンテンツの記録が完了したと判断された場合（ＹＥＳ）、制御部２８は、ステップＳ８ｌで、現在の視聴者リストに掲載されているユーザに対し、視聴していたコンテンツに対する再生開始位置を設定して、処理を終了（ステップＳ８ｍ）する。この場合、設定する再生開始位置としては、コンテンツの先頭位置となる。
【００６４】
なお、上記ステップＳ８ｋでは、ユーザによりコンテンツの記録停止を要求する操作が行なわれたか否か、または、ユーザにより記録中のコンテンツの映像表示パネル１４への表示停止を要求する操作が行なわれたか否かを判別するようにし、操作が行なわれていない場合（ＮＯ）、ステップＳ８ｇの処理に戻し、操作が行なわれた場合（ＹＥＳ）、ステップＳ８ｌの処理に移行させるようにしてもよいものである。
【００６５】
上記した実施の形態によれば、記録中のコンテンツをリアルタイムで視聴している状態でユーザが中座したことを自動的に検知し、そのユーザに対して中座した時点を当該コンテンツに対する再生開始位置として設定するようにしている。すなわち、記録されただけで、まだ一度も記録媒体（ハードディスク２９ａ）から読み取られていないコンテンツに対しても、再生開始位置を設定されるようにしている。
【００６６】
このため、中座したユーザは、記録された後に記録媒体から当該コンテンツを読み取って視聴する際に、設定されている再生開始位置から視聴することが可能となり、ユーザにとって非常に便利となる。特に、複数のユーザが視聴している状態で１人または数人が中座するような場合にも、コンテンツの視聴を停止する必要がないため、実用に適するものとなる。
【００６７】
図１１は、上記ステップＳ８ｈにおける視聴者リストの作成及び更新を行なう処理動作の一例をまとめたフローチャートを示している。すなわち、処理が開始（Ｓ１１ａ）されると、制御部２８は、ステップＳ１１ｂで、現在の視聴者リストをハードディスク２９ａ等に退避させ、ステップＳ１１ｃで、初期化された視聴者リストをハードディスク２９ａ上に用意する。
【００６８】
次に、制御部２８は、ステップＳ１１ｄで、カメラモジュール１５が撮影している映像（カメラモジュール１５から出力される映像信号）を取得し、ステップＳ１１ｅで、取得した映像から人物解析を行なって顔領域を抽出する。その後、制御部２８は、ステップＳ１１ｆで、抽出した顔領域の中から１人の顔領域を取り出し、ステップＳ１１ｇで、その取り出した顔領域の顔の特徴量を算出する。
【００６９】
そして、制御部２８は、ステップＳ１１ｈで、算出した顔の特徴量と上記登録テーブル上の顔の特徴量とを比較して、両特徴量の一致度が所定の閾値を超えた場合に、その顔領域の人物が顔登録済みのユーザであると判別して、当該ユーザの個人ＩＤを先に用意した初期化された視聴者リストに登載する。
【００７０】
なお、このステップＳ１１ｈにおいて、登録テーブル上の特徴量と比較した際の一致度が所定の閾値を超えない顔については、顔登録済みのユーザでないと判断して視聴者リストに搭載しないようになされる。
【００７１】
その後、制御部２８は、ステップＳ１１ｉで、カメラモジュール１５で撮影した映像から抽出した全ての顔領域の顔に対して、視聴者リストに登載するか否かの判別が完了したか否かを判別し、完了していると判断された場合（ＹＥＳ）、処理を終了（ステップＳ１１ｊ）する。また、上記ステップＳ１１ｉで完了していないと判断された場合（ＮＯ）、制御部２８は、ステップＳ１１ｆの処理に戻されて、抽出した顔領域の中から他の１人の顔領域が取り出される。
【００７２】
図１２は、上記ステップＳ１１ｈにおいて、カメラモジュール１５で撮影された映像内に存在する顔領域の顔が顔登録済みのユーザか否かを判別し、顔登録済みのユーザであれば視聴者リストに登載する処理動作の一例をまとめたフローチャートを示している。すなわち、処理が開始（ステップＳ１２ａ）されると、制御部２８は、ステップＳ１２ｂで、算出された顔の特徴量と上記登録テーブルに登録された１人の顔の特徴量とを比較して、両特徴量の一致度を算出する。
【００７３】
その後、制御部２８は、ステップＳ１２ｃで、算出された顔の特徴量について、上記登録テーブルに登録された全ての顔の特徴量との一致度が算出されたか否かを判別し、登録テーブルに登録された全ての顔の特徴量との一致度が算出されていないと判断された場合（ＮＯ）、ステップＳ１２ｂの処理に戻されて、登録テーブルに登録された他の１人の顔の特徴量との比較が行なわれる。
【００７４】
また、上記ステップＳ１２ｃで登録テーブルに登録された全ての顔の特徴量との一致度が算出されたと判断された場合（ＹＥＳ）、制御部２８は、ステップＳ１２ｄで、算出された一致度のうちで一番高い一致度を選択し、ステップＳ１２ｅで、選択された一致度が予め設定された所定のしきい値を超えているか否かを判別する。
【００７５】
このしきい値は、算出された顔の特徴量が、登録テーブルに登載されているいずれかの顔の特徴量と一致していると判断することができる値として予め設定されたもので、選択された一致度がこのしきい値以下であると判断された場合（ＮＯ）、制御部２８は、処理を終了（ステップＳ１２ｈ）する。
【００７６】
また、上記ステップＳ１２ｅで選択された一致度がしきい値を超えていると判断された場合（ＹＥＳ）、制御部２８は、その人物が顔登録済みのユーザであると判断し、ステップＳ１２ｆで、そのしきい値を超えた一致度を有する特徴量に対応する個人ＩＤが、既に視聴者リストに登載されているか否かを判別して、搭載されていると判断された場合（ＹＥＳ）、処理を終了（ステップＳ１２ｈ）する。
【００７７】
一方、上記ステップＳ１２ｆでしきい値を超えた一致度を有する特徴量に対応する個人ＩＤが、視聴者リストに登載されていないと判断された場合（ＮＯ）、制御部２８は、ステップＳ１２ｇで、当該ユーザの個人ＩＤを視聴者リストに登載し、処理を終了（ステップＳ１２ｈ）する。
【００７８】
図１３は、上記ステップＳ８ｉにおける最新の視聴者リストから外れたユーザを判別する処理動作、つまり、中座者を検出して特定する処理動作の一例をまとめたフローチャートを示している。なお、この処理動作では、検出され特定された中座者を中座者リストに登載するものとする。
【００７９】
すなわち、処理が開始（ステップＳ１３ａ）されると、制御部２８は、ステップＳ１３ｂで、初期化された中座者リストをハードディスク２９ａ上に用意する。その後、制御部２８は、ステップＳ１３ｃで、最新の視聴者リストの前に作成された視聴者リストをハードディスク２９ａから読み出し、ステップＳ１３ｄで、前に作成された視聴者リストが空であるか否かを判別し、空であると判断された場合（ＹＥＳ）、処理を終了（ステップＳ１３ｉ）する。
【００８０】
また、上記ステップＳ１３ｄで前に作成された視聴者リストが空でないと判断された場合（ＮＯ）、制御部２８は、ステップＳ１３ｅで、最新の視聴者リストをハードディスク２９ａから読み出す。
【００８１】
そして、制御部２８は、ステップＳ１３ｆで、前の視聴者リストに登載されている１人について、最新の視聴者リストにも搭載されているか否かを判別し、最新の視聴者リストに登載されていないと判断された場合（ＮＯ）、ステップＳ１３ｇで、その人の個人ＩＤを中座者リストに登載する。
【００８２】
このステップＳ１３ｇの後、または、上記ステップＳ１３ｆで前の視聴者リストに登載されている１人について、最新の視聴者リストにも搭載されていると判断された場合（ＹＥＳ）、制御部２８は、ステップＳ１３ｈで、前の視聴者リストに登載されている全ての人に対して、最新の視聴者リストにも搭載されているか否かの判別が完了したか否かを判別する。
【００８３】
そして、完了したと判断された場合（ＹＥＳ）、制御部２８は、処理を終了（ステップＳ１３ｉ）し、完了していないと判断された場合（ＮＯ）、ステップＳ１３ｆの処理に戻されて、前の視聴者リストに登載されている他の１人について、最新の視聴者リストにも搭載されているか否かの判別が行なわれる。
【００８４】
上記したステップＳ１３ｆ〜Ｓ１３ｈの処理を具体的に言えば、例えば前の視聴者リストに、図１４（ａ）に示すように、４人のユーザの個人ＩＤ「Ａ」，「Ｂ」，「Ｃ」，「Ｄ」が搭載され、最新の視聴者リストに、図１４（ｂ）に示すように、２人のユーザの個人ＩＤ「Ｂ」，「Ｃ」が搭載されているとする。
【００８５】
すると、まず、前の視聴者リストの個人ＩＤ「Ａ」について、最新の視聴者リストに存在するか否かの判別を実行する。この場合、存在しないので、図１４（ｃ）に示すように、個人ＩＤ「Ａ」が中座者リストに登載される。
【００８６】
次に、前の視聴者リストの個人ＩＤ「Ｂ」について、最新の視聴者リストに存在するか否かの判別を実行する。この場合、存在するので、個人ＩＤ「Ｂ」は、中座者リストに登載されないことになる。
【００８７】
以下、同様にして、前の視聴者リストに登載されている全ての個人ＩＤについて、最新の視聴者リストに存在するか否かの判別を実行し、存在しない個人ＩＤを中座者リストに登載することにより、コンテンツの視聴中に中座した人物を特定することができる。
【００８８】
図１５は、上記した実施の形態の変形例を示している。すなわち、図８で説明した実施の形態では、記録中のコンテンツを視聴している状態で、ユーザが中座した場合の処理動作について説明したが、図１５では、記録済みのコンテンツを記録媒体から読み取って視聴している状態で、ユーザが中座した場合の処理動作について説明している。
【００８９】
すなわち、処理が開始（ステップＳ１５ａ）され、ステップＳ１５ｂで、先に図６で説明したようにログインするユーザが決定され、ステップＳ１５ｃで、ハードディスク２９ａに記録されているコンテンツの再生を要求する操作が行なわれると、制御部２８は、ステップＳ１５ｄで、上記レジュームポイントテーブルを参照することにより、ログインユーザに対応して、再生するコンテンツに対する再生開始位置を示す情報を取得し、ステップＳ１５ｅで、その再生開始位置からコンテンツの再生を開始する。
【００９０】
次に、制御部２８は、ステップＳ１５ｆで、カメラモジュール１５が撮影している映像（カメラモジュール１５から出力される映像信号）を取得し解析することにより、ステップＳ１５ｇで、視聴者リストの作成及び更新を実行する。
【００９１】
その後、制御部２８は、ステップＳ１５ｈで、最新の視聴者リストとその前に作成された視聴者リストとを比較することにより、前の視聴者リストに掲載されていて最新の視聴者リストに掲載されていないユーザ、つまり、カメラモジュール１５の撮影範囲の外に移動した（中座した）ユーザがいるか否かを判別する。
【００９２】
そして、最新の視聴者リストから外れたユーザがいると判断された場合（ＹＥＳ）、制御部２８は、ステップＳ１５ｉで、その最新の視聴者リストから外れたユーザ、つまり、中座したユーザに対し、視聴者リストから外れたと判断した時点を、現在視聴中のコンテンツに対する再生開始位置（レジュームポイント）として設定する。
【００９３】
これにより、制御部２８は、中座したユーザが判別された時点で、そのユーザの個人ＩＤと、視聴していたコンテンツのコンテンツＩＤと、再生開始位置を示す情報とを、レジュームポイントテーブルに書き込み、ここに、コンテンツの視聴中にユーザの中座した時点が、そのユーザに対する当該コンテンツの再生開始位置として設定されることになる。
【００９４】
そして、このステップＳ１５ｉの後、または、上記ステップＳ１５ｈで最新の視聴者リストから外れたユーザがいないと判断された場合（ＮＯ）、制御部２８は、ステップＳ１５ｊで、コンテンツの再生が完了したか否かを判別し、完了していないと判断された場合（ＮＯ）、ステップＳ１５ｆの処理に戻される。
【００９５】
また、上記ステップＳ１５ｊでコンテンツの再生が完了したと判断された場合（ＹＥＳ）、制御部２８は、ステップＳ１５ｋで、現在の視聴者リストに掲載されているユーザに対し、視聴していたコンテンツに対する再生開始位置を設定して、処理を終了（ステップＳ１５ｌ）する。この場合、設定する再生開始位置としては、コンテンツの先頭位置となる。
【００９６】
なお、上記ステップＳ１５ｊでは、ユーザによりコンテンツの再生停止を要求する操作が行なわれたか否かを判別するようにし、操作が行なわれていない場合（ＮＯ）、ステップＳ１５ｆの処理に戻し、操作が行なわれた場合（ＹＥＳ）、ステップＳ１５ｋの処理に移行させるようにしてもよいものである。
【００９７】
上記した実施の形態では、再生開始位置を設定するコンテンツとして、デジタルテレビジョン放送やネットワークサーバ３４から取得したコンテンツについて説明したが、これに限らず、デジタルテレビジョン放送受信装置１１に外付けされた光ディスク記録再生装置や、ＵＳＢ（universal serial bus）ケーブルまたはＨＤＭＩ（high-definition multimedia interface）ケーブル等で接続された外部記憶デバイス等に保存されたコンテンツに対しても、適用可能である。
【００９８】
また、デジタルテレビジョン放送受信装置１１へのログインに際してデフォルトモードを設けるようにしたが、デジタルテレビジョン放送受信装置１１で購入後に最初に主電源をオンにしたときに、強制的に１人以上のユーザに対して個人ＩＤを登録させるようにすれば、必ずしもデフォルトモードを設ける必要はないことになる。
【００９９】
さらに、カメラモジュール１５だけでなく、例えば赤外線センサ等のように、電力消費量が少なく動きを精度よく感知することができるセンサ等を、デジタルテレビジョン放送受信装置１１の外部に備え、センサで検出した人物の動作の情報と、カメラモジュール１５による人物の顔の特徴量の情報とを併用することにより、ユーザが中座したことをより精度高く検出することが可能となる。
【０１００】
また、カメラモジュール１５の個数も１つに限らず複数個用いて、ユーザの顔を正面以外の角度から撮影した映像を利用することにより、個人を特定する際の精度を向上させることが可能となる。
【０１０１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【０１０２】
１１…デジタルテレビジョン放送受信装置、１２…キャビネット、１３…支持台、１４…映像表示パネル、１５…カメラモジュール、１６…スピーカ、１７…操作部、１７ａ…主電源スイッチ、１８…リモートコントローラ、１９…受光部、２０…アンテナ、２１…入力端子、２２…チューナ部、２３…復調復号部、２４…信号処理部、２５…合成処理部、２６…音声処理部、２７…映像処理部、２８…制御部、２８ａ…ＣＰＵ、２８ｂ…メモリ部、２９…ＨＤＤ、２９ａ…ハードディスク、３０…記録再生処理部、３１…入力端子、３２…ネットワークインターフェース、３３…ネットワーク回線網、３４…ネットワークサーバ、３５…顔登録画面、３６…個人ＩＤ設定画面、３７…ログインユーザ選択画面。
【図１】
2013114732.tif 000003
【図２】
2013114732.tif 000004
【図３】
2013114732.tif 000005
【図４】
2013114732.tif 000006
【図５】
2013114732.tif 000007
【図６】
2013114732.tif 000008
【図７】
2013114732.tif 000009
【図８】
2013114732.tif 000010
【図９】
2013114732.tif 000011
【図１０】
2013114732.tif 000012
【図１１】
2013114732.tif 000013
【図１２】
2013114732.tif 000014
【図１３】
2013114732.tif 000015
【図１４】
2013114732.tif 000016
【図１５】
2013114732.tif 000017